(57)【要約】      （修正有）【課題】迅速に組み立て、且つ反発で組立が外れるのを防止し、更に構造強度を高める迅速な組立式紙箱の構造を提供する。【解決手段】底面板１０、前後に奥行側面板２０、及び左右に幅側面板３０を含む。そのうち、幅側面板の両側はそれぞれ連接片３１を設置し、連接片は傾斜折線３２に沿って先ず内向きに半折りした後、外側面を隣接する奥行側面板上に固定し、組立式紙箱を扁平状の半折組状態にしておく。ユーザーが幅側面板を立たせると、各連接片は傾斜折線に沿って、対応する奥行側面板で展開して重なり、更にそれぞれ奥行側面板を上向きに引っ張り立たせ、スピーディに立体状態にすることで、公知の組立式紙箱が組立時に反発して組立が外れやすい欠点を改善する。その他、複数の奥行側面板及び幅側面板の辺縁は複数の連続排列した強化片４０がそれぞれ伸び、複数の強化片を連続して折り返した後相互に対応する奥行側面板もしくは幅側面板に固定し、複数の奥行側面板及び幅側面板の強度を高める。【選択図】図７
0003215094.tif 000002
【実用新案登録請求の範囲】
【請求項１】
迅速な組立式紙箱の構造において、
該組立式紙箱は、一紙板が一体で折り畳んで固定構成し、底面板、該底面板前後からそれぞれ外向きに伸びた二奥行側面板、及び底面板の左右側からそれぞれ伸びた二幅側面板を含み、該二幅側面板は、底面板中央に向かって折畳み、底面板上方に重畳し、そのうち、二幅側面板の両側辺縁はそれぞれ連接片が成形され、該連接片は傾斜折線を備え、更に該傾斜折線に沿って内側に半折した後、外側面を隣接する奥行側面板上に固定し、組立式紙箱を扁平状の半折組状態にしておき、該二幅側面板が底面板に相対して起立した時、復数の連接片がそれぞれの二奥行側面板を引張り上向きに立たせ、且つ各連接片は傾斜折線に沿って対応する奥行側面板の、コ側で展開して重ね、それによって快速組立納置空間を備えた立体状態を形成することを特徴とする迅速な組立式紙箱の構造。
【請求項２】
前記二奥行側面板、二幅側面板は、それぞれ辺縁から復数の連続排列した強化片が伸び、復数の強化片は末端から内向きに折り畳んで相互に合わせ後、対応する奥行側面板もしくは幅側面板、コ側に固定することを特徴とする請求項１記載の迅速な組立式紙箱の構造。
【請求項３】
前記二奥行側面板、二幅側面板は、対応して伸びる強化片との間に最上面板を設置し、該最上面板の幅と復数の強化片は相互に重畳固定した後の厚みが同じであることを特徴とする請求項２記載の迅速な組立式紙箱の構造。
【請求項４】
前記幅側面板に相互に隣接する強化片の両側辺縁は、連接片上に固定する補助固定片をそれぞれ設置することを特徴とする請求項２記載の迅速な組立式紙箱の構造。
【請求項５】
前記二奥行側面板の復数の強化片の両側辺縁は、それぞれ突出した掛合片を設置し、二幅側面板の復数の強化片の両側辺縁は前述掛合片に固定するための掛合筋をそれぞれ設置することを特徴とする請求項２記載の迅速な組立式紙箱の構造。
【考案の詳細な説明】
【技術分野】
【０００１】
本考案は、迅速な組立式紙箱の構造に関するもので、紙板一体を折り畳んで固定し、迅速に組み立てる。また組立時に反発して組立が外れてしまうのを防止する長所を備え、更に復数の強化片を連続して折り返した後、組立式紙箱の構造強度を高めることから、環境保護を考慮して比較的薄い紙板を採用することもできる。
【背景技術】
【０００２】
組立式紙箱は、製品に質感を与える他に、製品の保護、輸送時の便利という機能を備える。原則的に、組立式紙箱は一紙板を折り畳んで接着して構成する。しかしながら、組立後の体積が大きい場合、輸送に不便であるため、事業の習慣上、組立式紙箱は通常、先に扁平状の半折組状態に組み立てて販売ポイントまで運ぶ。そして販売業者が組み立てて製品を包装する。
【０００３】
図１は、公知の組立式紙箱の半折組状態の指示図である。該組立式紙箱は、底面板１０１、底面板１０１左右側からそれぞれ伸びた二幅側面板１０２、及び該底面板１０１前後からそれぞれ外向きに伸びた二奥行側面板１０３を含む。各奥行側面板１０３は更に外向きに折片１０４が伸び、該二幅側面板１０２は底面板１０１中央向きに折畳み、底面板１０１上方に畳んで合わせる。二幅側面板１０２の両側辺縁は、傾斜折線を備えた連接片１０５をそれぞれ設置し、該連接片１０５の内側面は相互に隣接する奥行側面板１０３上に固定し、組立式紙箱を扁平状の半折組状態にしておく。
【０００４】
図２、３に示すとおり、ユーザーは、二幅側面板１０２を底面板１０１に相対して立ち上げた時、復数の連接片１０５が二奥行側面板１０３をそれぞれ引張り上向きに立ち上げ、且つ各連接片１０５は先ず傾斜折線に沿って半折した後、対応する奥行側面板１０３の内側面に合わせ、ユーザーは続いて折片１０４を下向きに折り畳んで二連接片１０５を遮蔽し、奥行側面板１０３の内側面で固定する。即ち二幅側面板１０２が倒れてしまうのを防止し、二奥行側面板１０３及び二幅側面板１０２が起立した立体状態を維持し、製品を納置して包装する。
【０００５】
しかしながら、復数の連接片が二奥行側面板を上向きに引張り立たせた時、各連接片は折り畳むため、反発を起こす方向がちょうど奥行側面板と折り曲がる方向と相反し、販売業者が組立式紙箱を組み立てる時、反発して組立が外れてしまいやすく、特に厚手の紙板は連接片を折り畳んだ後の反発力が大きいため、販売業者が組立式紙箱を組み立てる速度にも影響を及ぼす。
【０００６】
更に、別種の組立式紙箱は、復数層の比較的薄手の紙板を重畳し、厚紙と同じ構造強度を達成する（例として特許文献１、２、３、４を参照）。これらの公知の技術は、前述の連接片の半折が反発する問題はないが、製造過程において、一つ一つ重ねなければならないため、組立工程が複雑になり、組立時間を有効に減らすことができない。拠って、如何にして更に経済効果があり、箱の構造強度を高めるかが問題であり、また、公知の組立式紙箱の組立時、連接片が反発して組立が外れてしまう状況を改善することが本考案者が解決したい問題である。
【先行技術文献】
【特許文献】
【０００７】
【特許文献１】中華人民共和国実用新案登録第ＣＮ２０５８９１５００号
【特許文献２】台湾実用新案登録第Ｍ５１７７２５号
【特許文献３】台湾実用新案登録第Ｍ５３８４９０号
【特許文献４】台湾実用新案登録第Ｉ５４００８５号
【考案の概要】
【考案が解決しようとする課題】
【０００８】
本考案の目的は、迅速に組み立て、組立時に反発して組立が外れてしまうのを防止する長所を備え、更に復数の強化片を連続して折り返した後組立式紙箱の構造強度を高め、組立式紙箱が薄手の紙板で制作する時でも、構造の安定化が達成できる組立式紙箱の構造を提供することにある。
【課題を解決するための手段】
【０００９】
上述の目的を達成するため、本考案は迅速な組立式紙箱の構造を提供する。該組立式紙箱は一紙板が一体で折り畳んで固定構成し、底面板、該底面板前後からそれぞれ外向きに伸びた二奥行側面板、及び底面板の左右側からそれぞれ伸びた二幅側面板を含む。該二幅側面板は、底面板中央に向かって折畳み、底面板上方に重畳する。そのうち、二幅側面板の両側辺縁はそれぞれ連接片が成形され、該連接片は傾斜折線を備える。更に該傾斜折線に沿って内側に半折した後、外側面を隣接する奥行側面板上に固定し、組立式紙箱を扁平状の半折組状態にしておく。該二幅側面板が底面板に相対して起立した時、復数の連接片がそれぞれの二奥行側面板を引張り上向きに立たせ、且つ各連接片は傾斜折線に沿って対応する奥行側面板、コ側で展開して重なり、拠って納置空間を備えた立体状態に迅速に組み立てる。
【００１０】
上述構造によって、組立式紙箱が半折組状態の時、各連接片は傾斜折線に沿って先ず内向きに半折りした後、外側面を隣接する奥行側面板上に固定し、組立式紙箱を扁平状に形成する。組立式紙箱を組み立てる時、各連接片は傾斜折線に沿って対応する奥行側面板の内側面に展開して重ね、連接片を折り畳むことで反発する方向がちょうど奥行側面板を折曲する方向と同じであるため、公知の組立式紙箱を組み立てる時、連接片が反発して組立が外れやすくなる欠点を改善し、ユーザーは組立式紙箱を迅速に組み立てることができる。
【００１１】
以下に更に各部品の実施方式を説明する。
【００１２】
実施時、二奥行側面板、二幅側面板それぞれ辺縁から復数の連続排列した強化片が伸び、復数の強化片は末端から内向きに折り畳んで相互に合わせ後、対応する奥行側面板もしくは幅側面板の内側面で固定する。
【００１３】
組立式紙箱が半折組状態の時、復数の強化片は、先ず連続的に折り畳んで相互に合わせ、且つ二幅側面板の復数の強化片は幅側面板に対応する内側面で固定し、更に幅側面板と共に底面板中央に向かって折畳み、底面板上方に重畳する。販売業者が組立式紙箱を組み立てる時、二幅側面板を直接復数の強化片と共に立たせ、納置空間を備えた立体状態に迅速に組み立てる。
【００１４】
実施時、二奥行側面板、二幅側面板と対応して伸びる強化片との間に最上面板を設置し、該最上面板の幅と復数の強化片は相互に重畳固定した後の厚みが同じである。
【００１５】
実施時、幅側面板に相互に隣接する強化片の両側辺縁は、連接片上に固定する補助固定片をそれぞれ設置する。
【００１６】
実施時、二奥行側面板の復数の強化片の両側辺縁は、突出した掛合片をそれぞれ設置し、二幅側面板の復数の強化片の両側辺縁は、前述掛合片に固定するための掛合筋をそれぞれ設置する。
【考案の効果】
【００１７】
本考案の迅速な組立式紙箱の構造は、従来の技術と比較して、以下の長所を備える。
１．組立式紙箱を半折組状態にする時、各連接片は傾斜折線に沿って先ず内向きに半折りした後、外側面を隣接する奥行側面板上に固定する。組立式紙箱を組み立てる時、連接片は折り畳むことで反発する方向がちょうど奥行側面板を折曲する方向と同じであるため、公知の組立式紙箱を組みた立てる時、連接片が反発して組立が外れてしまう欠点を改善し、ユーザーは迅速に組立式紙箱を組み立てることができる。
２．組立式紙箱は、復数の強化片によって組立式紙箱の構造強度を高め、組立式紙箱が環境保護の観点から薄手の紙板が採用されて制作する時でも、構造の安定化が達成できる。
【図面の簡単な説明】
【００１８】
【図１】公知の組立式紙箱で半折組状態の外観図である。
【図２】公知の組立式紙箱で組立過程の指示図である。
【図３】公知の組立式紙箱で組立完成後の外観図である。
【図４】本考案の平面展開図である。
【図５】本考案の半折組状態の折畳み指示図である。
【図６】本考案の完成した半折組状態の外観図である。
【図７】本考案の半折組状態の組立指示図である。
【図８】本考案の組立式紙箱の組立完成の外観図である。
【考案を実施するための形態】
【００１９】
以下に本考案の技術手段に基づき、本考案の実施方式を図式を挙げて以下に説明する。
【００２０】
本考案は、迅速な組立式紙箱の構造であり、該組立式紙箱は、一紙板が一体で折り畳んで固定構成する。図４に示すとおり、該紙板は底面板１０、該底面板１０前後からそれぞれ外向きに伸びた二奥行側面板２０、及び底面板１０左右からそれぞれ外向きに伸びた二幅側面板３０を成形する。該二奥行側面板２０、二幅側面板３０は、それぞれ辺縁から外向きに復数の連続排列した強化片４０が伸び、また二幅側面板３０の両側辺縁はそれぞれ連接片３１が成形され、該連接片３１は傾斜折線３２を備える。
【００２１】
事業の習慣では、組立式紙箱は、通常先ず扁平状の半折組状態にしておくことで、運送や保存に便利であり、販売ポイントまで運ぶ。そして販売業者が組み立てて製品を包装する。図５、６に示すとおり、二奥行側面板２０の復数の強化片４０は、先ず末端から内向きに折り畳んで相互に合わせ第一強化部４１を形成する。二幅側面板３０の復数の強化片４０末端から内向きに折り畳んで相互に合わせ、第二強化部４２を形成し、且つ第二強化部４２幅側面板３０に対応する内側面で固定し、更にと幅側面板３０と共に底面板１０中央に向けて折畳み、底面板１０上方に重畳する。更に各連接片３１は、傾斜折線３２に沿って先ず内向きに半折した後、外側面を隣接する奥行側面板２０上に固定し、即ち組立式紙箱が扁平状の半折組状態に形成することで、輸送及び保管に便利である。
【００２２】
図７、８に示すとおり、販売業者が組立式紙箱を組み立てる時、直接二幅側面板３０と第二強化部４２を底面板１０に相対して上向きに立たせる。復数の連接片３１はそれぞれ二奥行側面板２０を引張り上向きに立たせ、且つ各連接片３１は傾斜折線３２に沿って対応する奥行側面板２０、コ側面に展開して重なり、続いて二奥行側面板２０の第一強化部４１を内向き且つ下向きに二幅側面板３０の間に重畳して固定し、二連接片３１を遮蔽し、二幅側面板３０が倒れるのを防止し、二奥行側面板２０及び二幅側面板３０が起立した立体状態を維持し、製品を納置して包装する。
【００２３】
上述のとおり、二奥行側面板２０の復数の強化片４０の両側辺縁は、それぞれ突出した掛合片４３を設置し、二幅側面板３０の復数の強化片４０の両側辺縁は、前述掛合片４３を固定するための掛合筋４４をそれぞれ対応設置する。第一強化部４１が内向き且つ下向きに折畳み固定した時、掛合片４３と掛合筋４４がその位置に固定することに拠って、組立式紙箱の立体状態を維持する。
【００２４】
二奥行側面板２０を起立させる過程において、連接片３１が折り畳むことで発生する反発の方向がちょうど、奥行側面板２０が折曲する方向と同じであるため、公知の組立式紙箱を組みてる時に連接片３１が容易に反発して外れる欠点を改善することができ、ユーザーは組立式紙箱を迅速に組み立て、納置空間を備えた立体状態を形成する。
【００２５】
更に組立式紙箱は、復数の強化片４０で組立式紙箱の構造強度を高め、組立式紙箱が環境保護の観点から薄手の紙板が採用されて制作する時でも、構造の安定化が達成できる。
【００２６】
その他、復数の強化片４０は相互に重ねたことで一定の厚みを備える。故に二奥行側面板２０、二幅側面板３０と対応して伸びる強化片４０の間に最上面板４５を設置する。該最上面板４５幅と復数の強化片４０は相互に重ねて固定した時の厚みが同じで、復数の強化片４０が連続して折り畳んだ後の内応力を克服する。
【００２７】
図４において、各奥行側面板、幅側面板の外向きに伸びた複数の強化片４０は二片で、実施時には必要に応じて強化片４０の数を増やし、更に復数の強化片４０を相互に重畳すると、異なる厚みになり、その最上面板４５は強化片の重畳後の厚みに応じて対応する幅を備える。
【００２８】
幅側面板３０と相互に隣接する強化片４０の両側辺縁には、それぞれ補助固定片４６を設置し、各補助固定片４６は復数の強化片４０を連続して折り返した後、相互に隣接する連接片３１上に固定することで復数の強化片４０が折り返した後安定して固定され、復数の強化片４０が折り返した方向に沿って反発して組立が外れてしまうのを防止する。
【００２９】
以上の実施例の説明と図式は、本考案の良好な実施例に過ぎず、本考案の請求範囲を制限するものではない。拠って、本考案の目的、構造、装置、特徴等と近似もしくは雷同するものもすべて本考案の請求範囲に含まれる。
【符号の説明】
【００３０】
[公知]
１０１        底面板
１０２        幅側面板
１０３        奥行側面板
１０４        折片
１０５        連接片
[本考案]
１０        底面板
２０        奥行側面板
３０        幅側面板
３１        連接片
３２        傾斜折線
４０        強化片
４１        第一強化部
４２        第二強化部
４３        掛合片
４４        掛合筋
４５        最上面板
４６        補助固定片
【図１】
0003215094.tif 000003
【図２】
0003215094.tif 000004
【図３】
0003215094.tif 000005
【図４】
0003215094.tif 000006
【図５】
0003215094.tif 000007
【図６】
0003215094.tif 000008
【図７】
0003215094.tif 000009
【図８】
0003215094.tif 000010
【手続補正書】
【提出日】平成29年12月20日(2017.12.20)
【手続補正１】
【補正対象書類名】明細書
【補正対象項目名】全文
【補正方法】変更
【補正の内容】
【考案の詳細な説明】
【技術分野】
【０００１】
本考案は、迅速な組立式紙箱の構造に関するもので、紙板一体を折り畳んで固定し、迅速に組み立てる。また組立時に反発して組立が外れてしまうのを防止する長所を備え、更に複数の強化片を連続して折り返した後、組立式紙箱の構造強度を高めることから、環境保護を考慮して比較的薄い紙板を採用することもできる。
【背景技術】
【０００２】
組立式紙箱は、製品に質感を与える他に、製品の保護、輸送時の便利という機能を備える。原則的に、組立式紙箱は一紙板を折り畳んで接着して構成する。しかしながら、組立後の体積が大きい場合、輸送に不便であるため、事業の習慣上、組立式紙箱は通常、先に扁平状の半折組状態に組み立てて販売ポイントまで運ぶ。そして販売業者が組み立てて製品を包装する。
【０００３】
図１は、公知の組立式紙箱の半折組状態の指示図である。該組立式紙箱は、底面板１０１、底面板１０１左右側からそれぞれ伸びた二幅側面板１０２、及び該底面板１０１前後からそれぞれ外向きに伸びた二奥行側面板１０３を含む。各奥行側面板１０３は更に外向きに折片１０４が伸び、該二幅側面板１０２は底面板１０１中央向きに折畳み、底面板１０１上方に畳んで合わせる。二幅側面板１０２の両側辺縁は、傾斜折線を備えた連接片１０５をそれぞれ設置し、該連接片１０５の内側面は相互に隣接する奥行側面板１０３上に固定し、組立式紙箱を扁平状の半折組状態にしておく。
【０００４】
図２、３に示すとおり、ユーザーは、二幅側面板１０２を底面板１０１に相対して立ち上げた時、複数の連接片１０５が二奥行側面板１０３をそれぞれ引張り上向きに立ち上げ、且つ各連接片１０５は先ず傾斜折線に沿って半折した後、対応する奥行側面板１０３の内側面に合わせ、ユーザーは続いて折片１０４を下向きに折り畳んで二連接片１０５を遮蔽し、奥行側面板１０３の内側面で固定する。即ち二幅側面板１０２が倒れてしまうのを防止し、二奥行側面板１０３及び二幅側面板１０２が起立した立体状態を維持し、製品を納置して包装する。
【０００５】
しかしながら、複数の連接片が二奥行側面板を上向きに引張り立たせた時、各連接片は折り畳むため、反発を起こす方向がちょうど奥行側面板と折り曲がる方向と相反し、販売業者が組立式紙箱を組み立てる時、反発して組立が外れてしまいやすく、特に厚手の紙板は連接片を折り畳んだ後の反発力が大きいため、販売業者が組立式紙箱を組み立てる速度にも影響を及ぼす。
【０００６】
更に、別種の組立式紙箱は、複数層の比較的薄手の紙板を重畳し、厚紙と同じ構造強度を達成する（例として特許文献１、２、３、４を参照）。これらの公知の技術は、前述の連接片の半折が反発する問題はないが、製造過程において、一つ一つ重ねなければならないため、組立工程が複雑になり、組立時間を有効に減らすことができない。拠って、如何にして更に経済効果があり、箱の構造強度を高めるかが問題であり、また、公知の組立式紙箱の組立時、連接片が反発して組立が外れてしまう状況を改善することが本考案者が解決したい問題である。
【先行技術文献】
【特許文献】
【０００７】
【特許文献１】中華人民共和国実用新案登録第ＣＮ２０５８９１５００号
【特許文献２】台湾実用新案登録第Ｍ５１７７２５号
【特許文献３】台湾実用新案登録第Ｍ５３８４９０号
【特許文献４】台湾実用新案登録第Ｉ５４００８５号
【考案の概要】
【考案が解決しようとする課題】
【０００８】
本考案の目的は、迅速に組み立て、組立時に反発して組立が外れてしまうのを防止する長所を備え、更に複数の強化片を連続して折り返した後組立式紙箱の構造強度を高め、組立式紙箱が薄手の紙板で制作する時でも、構造の安定化が達成できる組立式紙箱の構造を提供することにある。
【課題を解決するための手段】
【０００９】
上述の目的を達成するため、本考案は迅速な組立式紙箱の構造を提供する。該組立式紙箱は一紙板が一体で折り畳んで固定構成し、底面板、該底面板前後からそれぞれ外向きに伸びた二奥行側面板、及び底面板の左右側からそれぞれ伸びた二幅側面板を含む。該二幅側面板は、底面板中央に向かって折畳み、底面板上方に重畳する。そのうち、二幅側面板の両側辺縁はそれぞれ連接片が成形され、該連接片は傾斜折線を備える。更に該傾斜折線に沿って内側に半折した後、外側面を隣接する奥行側面板上に固定し、組立式紙箱を扁平状の半折組状態にしておく。該二幅側面板が底面板に相対して起立した時、複数の連接片がそれぞれの二奥行側面板を引張り上向きに立たせ、且つ各連接片は傾斜折線に沿って対応する奥行側面板、コ側で展開して重なり、拠って納置空間を備えた立体状態に迅速に組み立てる。
【００１０】
上述構造によって、組立式紙箱が半折組状態の時、各連接片は傾斜折線に沿って先ず内向きに半折りした後、外側面を隣接する奥行側面板上に固定し、組立式紙箱を扁平状に形成する。組立式紙箱を組み立てる時、各連接片は傾斜折線に沿って対応する奥行側面板の内側面に展開して重ね、連接片を折り畳むことで反発する方向がちょうど奥行側面板を折曲する方向と同じであるため、公知の組立式紙箱を組み立てる時、連接片が反発して組立が外れやすくなる欠点を改善し、ユーザーは組立式紙箱を迅速に組み立てることができる。
【００１１】
以下に更に各部品の実施方式を説明する。
【００１２】
実施時、二奥行側面板、二幅側面板それぞれ辺縁から複数の連続排列した強化片が伸び、複数の強化片は末端から内向きに折り畳んで相互に合わせ後、対応する奥行側面板もしくは幅側面板の内側面で固定する。
【００１３】
組立式紙箱が半折組状態の時、複数の強化片は、先ず連続的に折り畳んで相互に合わせ、且つ二幅側面板の複数の強化片は幅側面板に対応する内側面で固定し、更に幅側面板と共に底面板中央に向かって折畳み、底面板上方に重畳する。販売業者が組立式紙箱を組み立てる時、二幅側面板を直接複数の強化片と共に立たせ、納置空間を備えた立体状態に迅速に組み立てる。
【００１４】
実施時、二奥行側面板、二幅側面板と対応して伸びる強化片との間に最上面板を設置し、該最上面板の幅と複数の強化片は相互に重畳固定した後の厚みが同じである。
【００１５】
実施時、幅側面板に相互に隣接する強化片の両側辺縁は、連接片上に固定する補助固定片をそれぞれ設置する。
【００１６】
実施時、二奥行側面板の複数の強化片の両側辺縁は、突出した掛合片をそれぞれ設置し、二幅側面板の複数の強化片の両側辺縁は、前述掛合片に固定するための掛合筋をそれぞれ設置する。
【考案の効果】
【００１７】
本考案の迅速な組立式紙箱の構造は、従来の技術と比較して、以下の長所を備える。
１．組立式紙箱を半折組状態にする時、各連接片は傾斜折線に沿って先ず内向きに半折りした後、外側面を隣接する奥行側面板上に固定する。組立式紙箱を組み立てる時、連接片は折り畳むことで反発する方向がちょうど奥行側面板を折曲する方向と同じであるため、公知の組立式紙箱を組みた立てる時、連接片が反発して組立が外れてしまう欠点を改善し、ユーザーは迅速に組立式紙箱を組み立てることができる。
２．組立式紙箱は、複数の強化片によって組立式紙箱の構造強度を高め、組立式紙箱が環境保護の観点から薄手の紙板が採用されて制作する時でも、構造の安定化が達成できる。
【図面の簡単な説明】
【００１８】
【図１】公知の組立式紙箱で半折組状態の外観図である。
【図２】公知の組立式紙箱で組立過程の指示図である。
【図３】公知の組立式紙箱で組立完成後の外観図である。
【図４】本考案の平面展開図である。
【図５】本考案の半折組状態の折畳み指示図である。
【図６】本考案の完成した半折組状態の外観図である。
【図７】本考案の半折組状態の組立指示図である。
【図８】本考案の組立式紙箱の組立完成の外観図である。
【考案を実施するための形態】
【００１９】
以下に本考案の技術手段に基づき、本考案の実施方式を図式を挙げて以下に説明する。
【００２０】
本考案は、迅速な組立式紙箱の構造であり、該組立式紙箱は、一紙板が一体で折り畳んで固定構成する。図４に示すとおり、該紙板は底面板１０、該底面板１０前後からそれぞれ外向きに伸びた二奥行側面板２０、及び底面板１０左右からそれぞれ外向きに伸びた二幅側面板３０を成形する。該二奥行側面板２０、二幅側面板３０は、それぞれ辺縁から外向きに複数の連続排列した強化片４０が伸び、また二幅側面板３０の両側辺縁はそれぞれ連接片３１が成形され、該連接片３１は傾斜折線３２を備える。
【００２１】
事業の習慣では、組立式紙箱は、通常先ず扁平状の半折組状態にしておくことで、運送や保存に便利であり、販売ポイントまで運ぶ。そして販売業者が組み立てて製品を包装する。図５、６に示すとおり、二奥行側面板２０の複数の強化片４０は、先ず末端から内向きに折り畳んで相互に合わせ第一強化部４１を形成する。二幅側面板３０の複数の強化片４０末端から内向きに折り畳んで相互に合わせ、第二強化部４２を形成し、且つ第二強化部４２幅側面板３０に対応する内側面で固定し、更にと幅側面板３０と共に底面板１０中央に向けて折畳み、底面板１０上方に重畳する。更に各連接片３１は、傾斜折線３２に沿って先ず内向きに半折した後、外側面を隣接する奥行側面板２０上に固定し、即ち組立式紙箱が扁平状の半折組状態に形成することで、輸送及び保管に便利である。
【００２２】
図７、８に示すとおり、販売業者が組立式紙箱を組み立てる時、直接二幅側面板３０と第二強化部４２を底面板１０に相対して上向きに立たせる。複数の連接片３１はそれぞれ二奥行側面板２０を引張り上向きに立たせ、且つ各連接片３１は傾斜折線３２に沿って対応する奥行側面板２０、コ側面に展開して重なり、続いて二奥行側面板２０の第一強化部４１を内向き且つ下向きに二幅側面板３０の間に重畳して固定し、二連接片３１を遮蔽し、二幅側面板３０が倒れるのを防止し、二奥行側面板２０及び二幅側面板３０が起立した立体状態を維持し、製品を納置して包装する。
【００２３】
上述のとおり、二奥行側面板２０の複数の強化片４０の両側辺縁は、それぞれ突出した掛合片４３を設置し、二幅側面板３０の複数の強化片４０の両側辺縁は、前述掛合片４３を固定するための掛合筋４４をそれぞれ対応設置する。第一強化部４１が内向き且つ下向きに折畳み固定した時、掛合片４３と掛合筋４４がその位置に固定することに拠って、組立式紙箱の立体状態を維持する。
【００２４】
二奥行側面板２０を起立させる過程において、連接片３１が折り畳むことで発生する反発の方向がちょうど、奥行側面板２０が折曲する方向と同じであるため、公知の組立式紙箱を組みてる時に連接片３１が容易に反発して外れる欠点を改善することができ、ユーザーは組立式紙箱を迅速に組み立て、納置空間を備えた立体状態を形成する。
【００２５】
更に組立式紙箱は、複数の強化片４０で組立式紙箱の構造強度を高め、組立式紙箱が環境保護の観点から薄手の紙板が採用されて制作する時でも、構造の安定化が達成できる。
【００２６】
その他、複数の強化片４０は相互に重ねたことで一定の厚みを備える。故に二奥行側面板２０、二幅側面板３０と対応して伸びる強化片４０の間に最上面板４５を設置する。該最上面板４５幅と複数の強化片４０は相互に重ねて固定した時の厚みが同じで、複数の強化片４０が連続して折り畳んだ後の内応力を克服する。
【００２７】
図４において、各奥行側面板、幅側面板の外向きに伸びた複数の強化片４０は二片で、実施時には必要に応じて強化片４０の数を増やし、更に複数の強化片４０を相互に重畳すると、異なる厚みになり、その最上面板４５は強化片の重畳後の厚みに応じて対応する幅を備える。
【００２８】
幅側面板３０と相互に隣接する強化片４０の両側辺縁には、それぞれ補助固定片４６を設置し、各補助固定片４６は複数の強化片４０を連続して折り返した後、相互に隣接する連接片３１上に固定することで複数の強化片４０が折り返した後安定して固定され、複数の強化片４０が折り返した方向に沿って反発して組立が外れてしまうのを防止する。
【００２９】
以上の実施例の説明と図式は、本考案の良好な実施例に過ぎず、本考案の請求範囲を制限するものではない。拠って、本考案の目的、構造、装置、特徴等と近似もしくは雷同するものもすべて本考案の請求範囲に含まれる。
【符号の説明】
【００３０】
[公知] 
１０１        底面板
１０２        幅側面板
１０３        奥行側面板
１０４        折片
１０５        連接片
[本考案] 
１０        底面板
２０        奥行側面板
３０        幅側面板
３１        連接片
３２        傾斜折線
４０        強化片
４１        第一強化部
４２        第二強化部
４３        掛合片
４４        掛合筋
４５        最上面板
４６        補助固定片
【手続補正２】
【補正対象書類名】実用新案登録請求の範囲
【補正対象項目名】全文
【補正方法】変更
【補正の内容】
【実用新案登録請求の範囲】
【請求項１】
迅速な組立式紙箱の構造において、
該組立式紙箱は、一紙板が一体で折り畳んで固定構成し、底面板、該底面板前後からそれぞれ外向きに伸びた二奥行側面板、及び底面板の左右側からそれぞれ伸びた二幅側面板を含み、該二幅側面板は、底面板中央に向かって折畳み、底面板上方に重畳し、そのうち、二幅側面板の両側辺縁はそれぞれ連接片が成形され、該連接片は傾斜折線を備え、更に該傾斜折線に沿って内側に半折した後、外側面を隣接する奥行側面板上に固定し、組立式紙箱を扁平状の半折組状態にしておき、該二幅側面板が底面板に相対して起立した時、複数の連接片がそれぞれの二奥行側面板を引張り上向きに立たせ、且つ各連接片は傾斜折線に沿って対応する奥行側面板で展開して重ね、それによって快速組立納置空間を備えた立体状態を形成することを特徴とする迅速な組立式紙箱の構造。
【請求項２】
前記二奥行側面板、二幅側面板は、それぞれ辺縁から複数の連続排列した強化片が伸び、複数の強化片は末端から内向きに折り畳んで相互に合わせ後、対応する奥行側面板もしくは幅側面板に固定することを特徴とする請求項１記載の迅速な組立式紙箱の構造。
【請求項３】
前記二奥行側面板、二幅側面板は、対応して伸びる強化片との間に最上面板を設置し、該最上面板の幅と複数の強化片は相互に重畳固定した後の厚みが同じであることを特徴とする請求項２記載の迅速な組立式紙箱の構造。
【請求項４】
前記幅側面板に相互に隣接する強化片の両側辺縁は、連接片上に固定する補助固定片をそれぞれ設置することを特徴とする請求項２記載の迅速な組立式紙箱の構造。
【請求項５】
前記二奥行側面板の複数の強化片の両側辺縁は、それぞれ突出した掛合片を設置し、二幅側面板の複数の強化片の両側辺縁は前述掛合片に固定するための掛合筋をそれぞれ設置することを特徴とする請求項２記載の迅速な組立式紙箱の構造。